(57)【要約】【課題】本発明は、肌情報を取得する肌センサを備えるにあたって、構造面および衛生面などの様々な問題を解決した空調機用ワイヤレスリモコンを提供する。【解決手段】縦長形状に形成されるリモコン本体７の先端部に赤外線発光素子１３を備えた空調機用ワイヤレスリモコンＲにおいて、赤外線発光素子の側部に肌センサＳがリモコン本体から突出して設けられ、直接、肌センサを居住人Ｐの肌に接触させることにより肌情報を取得でき、肌センサおよび赤外線発光素子の前面に赤外線を透過する素材からなるキャップ１２が着脱自在に設けられて、赤外線素子からの送信に支障がないようにするとともに、肌センサの汚れを防止する。【選択図】      図１
2006138606.tif 000002
【特許請求の範囲】
【請求項１】
縦長形状に形成されるリモコン本体の先端部に、赤外線発光素子を備えた空調機用ワイヤレスリモコンにおいて、
上記赤外線発光素子の側部に上記リモコン本体から突出して設けられ、直接、居住人の肌に接触させることにより肌情報を取得する肌センサと、
上記肌センサおよび上記赤外線発光素子の前面に着脱自在に設けられ、赤外線を透過する素材からなるキャップと
を具備することを特徴とする空調機用ワイヤレスリモコン。
【請求項２】
縦長形状に形成されるリモコン本体の先端部に、赤外線発光素子を備えた空調機用ワイヤレスリモコンにおいて、
上記赤外線発光素子の側部に上記リモコン本体から突没自在に設けられ、リモコン本体から突出して、直接、居住人の肌に接触させることにより肌情報を取得する肌センサと、
上記リモコン本体の先端部に開閉自在に設けられ、上記肌センサのリモコン本体内収納時に、肌センサの前方を閉鎖するシャッタと
を具備することを特徴とする空調機用ワイヤレスリモコン。
【請求項３】
上記シャッタは、上記肌センサに接触して、肌センサの表面を殺菌する殺菌手段を備えたことを特徴とする請求項２記載の空調機用ワイヤレスリモコン。
【発明の詳細な説明】
【技術分野】
【０００１】
本発明は、居住人の肌に対する肌水分量を測定するセンサを備えた空調機用ワイヤレスリモコンに関する。
【背景技術】
【０００２】
たとえば、［特許文献１］には、肌水分量測定装置が開示されている。この装置は、被測定者の肌の水分量によって変化する物理量を検出するセンサと、物理量から肌水分量を計算する肌水分量計算手段と、肌水分量を報知する報知手段と、センサに肌を押し当てる押圧を報知する押圧報知手段を備えている。すなわち、この肌水分量測定装置は、直接、被測定者の肌に接触させて肌水分量（＝肌湿度）を測定するものである。
【０００３】
一方、空気調和機において、冷房運転や暖房運転を連続して長時間行った場合、被空調室内に居住する使用者（以下、居住人と呼ぶ）は、肌が荒れる等の問題が生じる可能性がある。これは、主として、長時間の継続運転にともなって室内の湿度が低下することや、空気調和機から吹出される冷風もしくは温風が直接、居住人の肌に当たって局部的に冷やされ、もしくは温められ、よって肌が乾燥し易いことによる。
【０００４】
そこで、居住人は上述の肌情報から空気調和機の運転を切換え、あるいは停止するよう、頻繁に調節して、肌の乾燥を可能な限り抑制することが望まれる。また、空気調和機側においても、居住人の肌情報を積極的に受け入れて、それにもとづき運転モードや風向、風量の変更をなすことが望ましい。
【特許文献１】特開２００３−１６９７８７号公報
【発明の開示】
【発明が解決しようとする課題】
【０００５】
ところで、上述の［特許文献１］で開示される肌水分量測定装置は、それ単独で用いられるものであって、空気調和機と関連付けることについては何らの考慮も払われていない。そこで、空気調和機との組合せを考えると、空気調和機に付属されるワイヤレスリモコンに、肌情報を入手するための検出手段を取付けることが一般的である。  
しかしながら、上記ワイヤレスリモコンには、入力した信号を空気調和機へ送信するための赤外線発光素子（赤外線発光ダイオード）や、表示部などの部品が配置されており、これらの既設部品との整合性を保持しつつ、肌情報検出手段を備えなけらばならない。また、ワイヤレスリモコンは家庭の家族全員が使用し、特定の個人のみが使用するものではないために、衛生面においても特別な考慮を払う必要がある。
【０００６】
本発明は上記事情に着目してなされたものであり、その目的とするところは、肌情報を取得する肌センサを備えるにあたって、構造面および衛生面などの様々な問題を解決した空調機用ワイヤレスリモコンを提供しようとするものである。
【課題を解決するための手段】
【０００７】
上記目的を達成するため本発明は、縦長形状に形成されるリモコン本体の先端部に赤外線発光素子を備えた空調機用ワイヤレスリモコンにおいて、赤外線発光素子の側部に肌センサをリモコン本体から突出して設け、この肌センサを直接、居住人の肌に接触させることにより肌情報を取得し、肌センサおよび赤外線発光素子の前面に赤外線を透過する素材からなるキャップを着脱自在に設けた。
【０００８】
上記目的を達成するため本発明は、縦長形状に形成されるリモコン本体の先端部に赤外線発光素子を備えた空調機用ワイヤレスリモコンにおいて、赤外線発光素子の側部に肌センサをリモコン本体から突没自在に設け、この肌センサをリモコン本体から突出して、直接、居住人の肌に接触させることにより肌情報を取得し、リモコン本体の先端部にシャッタを開閉自在に設けて、肌センサのリモコン本体内収納時に、シャッタで肌センサの前方を閉鎖する。
【発明の効果】
【０００９】
本発明によれば、空調機用ワイヤレスリモコンに肌情報を取得する肌センサを備えることができ、しかも使い勝手がよく、衛生的に使用できる等の効果を奏する。
【発明を実施するための最良の形態】
【００１０】
以下、図面を参照しながら、本発明に係る第１の実施の形態について詳細に説明する。  
図１は空調機用ワイヤレスリモコンの使用状態を説明する図であり、図２（Ａ）は空調機用ワイヤレスリモコンＲの概略正面図、図２（Ｂ）は実際の肌情報測定時における空調機用ワイヤレスリモコンＲの概略正面図、図３は空調機用ワイヤレスリモコンＲの電気回路ブロック図、図４は空調機用ワイヤレスリモコンＲの肌情報測定時のフローチャート図である。
【００１１】
はじめに図１から説明すると、空気調和機を構成する室内機Ｋにおいて、室内機本体（以下、空調機本体と呼ぶ）１は室外に配置される図示しない室外機と冷媒管や電気配線を介して接続される。室内機と室外機には冷凍サイクル機器と電気機器が搭載される。  
上記空調機本体１の前面には吸込み口２が設けられ、前面下部には吹出し口３がルーバー４を介して開閉自在に設けられる。上記吸込み口２と吹出し口３との間の本体１前面部位には、後述する空調機用ワイヤレスリモコン（以下、単にリモコンと呼ぶ）Ｒからの信号を受ける受信部およびリモコンＲへ信号を送信する送信部と、運転／停止の表示をなす表示灯等を備えた表示・送受信部５が設けられる。空調機本体１内部には、リモコンＲからの送信信号にもとづいて上記冷凍サイクル構成部品および電気機器を制御する制御装置６が備えられる。
【００１２】
上記リモコンＲは、空調作用の運転条件を設定できるとともに、後述するように居住人Ｐの肌部分（たとえば、頬）に先端部を接触させることにより、肌水分量を設定できる機能を備えている。  
図２（Ａ）において、リモコン本体７は、その正面視が縦長矩形状をなし、側面視は所定の厚み寸法に形成されていて、居住人Ｐにとって持ち易い（すなわち、握り易い）形状構造をなしている。リモコン本体７の表面側で略中央部には液晶表示部８が設けられ、図の下部側である後端側には操作部９が設けられる。通常、上記操作部９は、図１に示すスライド蓋１０によって遮蔽されていて、このスライド蓋１０をスライドすることにより露出する。
【００１３】
操作部９を構成するボタン類として、冷房、暖房、除湿、空清換気、換気、風量、風向、スイング、タイマー予約、タイマー取消等の切換えボタンがそれぞれ備えられ、かつ温度を設定するための温度設定ボタンおよび湿度を設定するための湿度設定ボタンが設けられる。これらのボタン群を設定操作することで、上記液晶表示部８に設定条件が表示されるようになっている。そして、この操作部９には後述する音許可スイッチ１１が設けられている。
【００１４】
リモコン本体７の、図の上部側である先端部には、キャップ１２が取付けられる。このキャップ１２は、赤外線を円滑に透過させる特性をもつ素材から形成されていて、基端部のみ開口され、それ以外は開口部の無い薄型矩形筒状をなし、基端開口部がリモコン本体７の先端部に着脱自在に嵌り込む。また、キャップ１２で覆われるリモコン本体７の先端部端面も同様に、赤外線が円滑に透過する素材からなる。
【００１５】
リモコン本体７の先端部内には、図の左側の側部に赤外線発光素子（赤外線発光ダイオード）１３が設けられ、発光方向を先端部端面に向けている。図の右側の側部には、赤外線受光素子１４が設けられていて、受光面を先端部端面に向けている。略中央部には、肌水分量もしくは肌湿度などの肌情報を検出する肌センサＳが、弾性部材１５を介して支持されている。
【００１６】
すなわち、上記肌センサＳは、大径の基端部ａと、小径の杆部ｂが一体に連設されてなり、基端部ａの先端面が肌情報を検出する検出面をなっている。図に示す通常の状態で、上記基端部ａの全部と、杆部ｂの一部がリモコン本体７の先端面から突出し、杆部ｂのほとんど大部分はリモコン本体７の先端面に設けられる孔部を挿通して、リモコン本体内部に突出するよう弾性部材１５に支持される。なお、この弾性部材１５は赤外線を透過する素材からなる、もしくは赤外線は透過しないが、少なくとも上記赤外線発光素子１３および赤外線受光素子１４の先端部のみ孔明け加工され赤外線の透過に全く支障のない構造となっている。
【００１７】
リモコン本体７の先端部に嵌め込まれるキャップ１２に対して、上記肌センサＳの先端検出面とはある程度の間隙を存して備えられ、肌センサＳがキャップ１２に接触することはない。そして、基端部ａの後端面とリモコン本体７先端部端面とは互いに間隙を存しているが、肌センサＳが上記弾性部材１５によって支持されているところから、肌センサＳの先端検出面に押圧力がかかれば弾性部材１５が弾性変形し、基端部ａ後端面が先端部端面に当接する。
【００１８】
リモコン本体７の先端部内において、肌センサＳの杆部ｂ端面と所定の間隙を存して対向する位置にマイクロスイッチ１６が設けられている。このマイクロスイッチ１６は、押圧されてオン状態となることにより肌センサＳの検知を後述する制御装置であるマイクロコンピュータ（以下、単にマイコンと呼ぶ）１７が測定開始するトリガーとなる。
【００１９】
図３に示すように、リモコンＲの電気回路が構成される。  
すなわち、上記マイコン１７は、電源部である電池１８から駆動電流が供給され、ボタン類および音許可スイッチ１１を備えた操作部９と、肌センサＳと、赤外線受光素子１４およびマイクロスイッチ１６からの信号を受ける。そして、マイコン１７は、液晶表示部８と、赤外線発光素子１３へ信号を送って、それぞれ必要な駆動制御をなす。  
なお、上記肌センサＳは、肌情報として、肌水分量を測定するもので、内部に電極対を備えていて、この表面がガラスなどの絶縁物で覆われている。肌センサＳを肌に密着させると絶縁物を介して電極対が接触し、皮膚を誘電体としたコンデンサが形成される。上記コンデンサの静電容量は誘電体である皮膚の誘電率によって決定され、この誘電率は肌の水分率によって大きく変化する。肌センサＳは、上記静電容量を検出する手段を備えていて、具体的には静電容量の変化を発振周波数の変化としてとらえてマイコン１７へ送り、マイコンではその発振周波数を肌の水分量に換算するようになっている。
【００２０】
このようにして構成されるリモコンＲであって、室内の空気調和をなす場合は、リモコン本体７の先端に取付けられるキャップ１２をそのままにして、先端部を空調機本体１へ向けるとともに、スライド蓋１０を開放して操作部９に対し必要な入力操作をなす。具体的には、運転／停止の切換えや、「冷房運転」、「暖房運転」、「除湿運転」、「換気運転」、「送風運転」などの運転切換えが可能であるとともに、温度および湿度等の運転条件を設定できる。
【００２１】
リモコンＲの操作部９に対する全ての操作はマイコン１７によって信号化され、赤外線発光素子１３から赤外線として空調機本体１へ送信される。空調機本体１では、表示・送受信部５に備えられる受光部がリモコンＲからの操作信号を受けて制御装置６へ送る。上記制御装置６では、リモコンＲから送られた操作信号に対応して室内機Ｋと室外機に搭載された冷凍サイクル機器と電気機器を駆動制御し、入力操作にもとづいた空調運転をなす。室内機Ｋには赤外線発光素子が設けられ、必要に応じてリモコンＲへと送信し、リモコンＲは、室内機Ｋからの赤外線信号を赤外線受光素子１４を用いて受信する。このようにリモコンＲの赤外線発光素子１３と赤外線受光素子１４を用いて空調機本体１との間で運転信号の送受信が行われる。
【００２２】
以上の空調運転の継続中に、居住人Ｐが自己の肌水分量を測定する場合は、リモコン本体７の先端部に取付けられているキャップ１２を取外し、リモコン本体７を持ったまま、たとえば図１の右側に示すリモコンＲのように先端から露出した肌センサＲを頬に接触する。  
実際には、肌センサＲの先端部を頬に当て、図２（Ｂ）に示すように、肌センサＲを支持する弾性部材１５を弾性変形させて杆部ｂがマイクロスイッチ１６をオンするまで押付ける。この際、リモコン本体７が縦長形状をなしているので、リモコン本体７を持って頬に押し当てるのに無理なく行え、使い勝手がよい。
【００２３】
マイクロスイッチ１６がオンされることで、肌センサＲは肌情報の測定を開始し、その測定信号がリモコンＲ内のマイコン１７へ送られる。ここで必要なデータ処理をなし、その結果を信号化して液晶表示部８へ送り、たとえば同図に示すような表示をなす。  
つぎに、図４にもとづいて、リモコンＲにおける肌情報測定時のフローチャートの詳細を説明する。  
スタートからステップＳ１において、マイクロスイッチ１６がオンされているか否かが判断される。すなわち、リモコン本体７の先端からキャップ１２が外されたうえに、肌センサＳが居住人Ｐの頬に押付けられているか否かの検出がなされる。ステップＳ１がＹｅｓであればステップＳ２へ移るが、Ｎｏであれば再びステップＳ１へ戻り、再び繰り返す。
【００２４】
ステップＳ２では、居住人Ｐの頬に押付けられる肌センサＳが肌水分量もしくは肌湿度などの肌情報の測定を開始するとともに、リモコンＲのマイコン１７によって制御される図示しないタイマーが時間の計測を開始する。  
ステップＳ３において、肌センサＳによる肌情報の測定が継続し、その測定信号は逐一、マイコン１７へ送られる。  
ステップＳ４では、マイコン１７が肌センサＳからの測定信号を受けるとともに、タイマーによる計測時間ｔと予めマイコン１７に定められた標準計測時間ｔｓとを比較する。そして、タイマーの計測時間ｓが標準計測時間ｔｓをオーバーしているか否かが判断される。Ｙｅｓであれば、タイマーの計測時間ｔが標準計測時間ｔｓを満したこととなり、ステップＳ５へ移る。Ｎｏであれば、未だタイマーの計測時間が標準計測時間ｔｓに対して不足していることなので、そのまま計測を継続してステップＳ４に戻る。
【００２５】
ステップＳ５において、肌センサＳが肌情報の取得を終了すると、この肌情報を入力したマイコン１７では測定結果にもとづいて肌検出データの処理・加工をなす。マイコン１７が全てのデータの処理をなしたあとは、ステップＳ６へ移る。  
ステップＳ６では、肌情報の測定が完全に成功したか否かが判断される。すなわち、たとえマイクロスイッチ１６がオンして肌情報の取得を開始しても、上述したように肌センサＳに備えられる電極対が絶縁物を介して均一に肌に接触した状態にしないと、皮膚を誘電体としたコンデンサの静電容量を確保することができなくなる。
【００２６】
その結果、静電容量の変化を発振周波数の変化として捉えることが不完全になって、周波数を肌の水分量に換算しても誤差の範囲が大になってしまう。したがって、ステップＳ６において肌情報の測定が成功したか否かを判断することは必要不可欠である。ステップＳ６でＹｅｓの場合は、ステップＳ７へ移る。  
ステップＳ７において、リモコンＲに備えられるマイコン１７は肌情報の検出したデータを赤外線発光素子１３から空調機本体１へ送信させる。空調機本体１では、上記信号を表示・送受信部５に備えた受光部を介して制御装置６へ送る。制御装置６では、得られた肌情報の全てを勘案し、その肌情報にもとづいた最適な運転条件に設定変更して、冷凍サイクル機器および電気機器を制御する。
【００２７】
すなわち、肌情報が乾燥気味という結果であれば、空調機本体１に搭載される送風機の風量を低下させるとともに、冷凍サイクル中の冷媒循環量を低減し、室内熱交換器の温度を上げることにより湿度の低下を防止する運転条件に変更し、ステップＳ８へ移る。
【００２８】
ステップＳ８では、リモコンＲの液晶表示部８に得られた肌情報を表示させる。たとえば、図２（Ｂ）に示すように、肌ケア情報が「乾燥しています」、肌湿度が「２４％」という表示がなされる。なお、ステップＳ７とステップＳ８はほとんど同時のフローとなり、そのあとステップＳ９へ移る。  
ステップＳ９において、音発生の許可をなすか否かが判断される。先に図３で説明したように、リモコンＲの操作部９に備えられる音許可スイッチ１１がオンされていれば、ステップＳ９がＹｅｓとなり、ステップＳ１０へ移る。
【００２９】
ステップＳ１０では、リモコンＲが肌情報を音変化にて報知する。たとえば、肌状態が、「良い」、「ふつう」、「対策必要」などの簡易的な判定にもとづき音の変化を明瞭に分別して報知し、よって特に液晶表示部８を確認しなくても、容易に肌情報を知ることもできる。そのあと、リターンに移る。  
ステップＳ９で、音許可スイッチ１１がオフの状態であればＮｏとなり、このときはステップＳ１０をバイパスしてリターンに移る。  
また、ステップＳ６において測定成功がＮｏである、すなわち測定が失敗に終わった場合はステップＳ１１へ移り、ここでは音発生が許可されるか否かが判断される。このステップＳ１１での音発生許可は、先にステップＳ９で説明したリモコン操作部９の音発生許可スイッチ１１と共通する。
【００３０】
ステップＳ１１でＹｅｓの場合は、ステップＳ１２へ移って測定失敗音を発生させる。さらに、ステップＳ１２からステップＳ１３へ移って、測定の失敗を液晶表示部８に表示させ、リターンに移る。  
ステップＳ１１で音発生許可がＮｏである場合には、ステップＳ１２をバイパスして直接ステップＳ１３へ移り測定の失敗を液晶表示部８に表示させる。  
このように、空調機用ワイヤレスリモコンＲにおいては、通常の空調運転における運転条件の切換え設定操作をなすとともに、居住人Ｐの肌水分量などの肌情報を測定可能として、空調運転に反映させることができ、人に優しい空調効率の向上化を得られる。
【００３１】
肌センサＳは、リモコン本体７から突出構造としたので、肌情報を検出する際に、肌センサＳ以外の構成部品（赤外線発光素子１３や赤外線受光素子１４）に肌が接触することがなく、不快感を与えずにすむ。  
通常の運転条件切換え設定の際には、肌センサＳはキャップ１２で覆われているので、肌センサＳの特に先端に形成される検出面が汚れずにすみ、汚れによる測定精度の低下を避けることができる。
【００３２】
上記キャップ１２は、赤外線の透過素材から形成することで、肌センサＳを使用しない場合は、キャップ１２を外さずに信号の送受信をなすことができ、手間がかからずにすむ。  
なお、リモコンＲの操作部９に備えられる音許可スイッチ１１は、ステップＳ１０では測定結果に応じた音を発生し、ステップＳ１２では測定失敗音を発生するようにしたが、これに限定されるものではない。
【００３３】
たとえば、肌センサＳが測定モードに入ったこと、あるいは／および肌センサＳが測定中であること、あるいは／および測定が完了した時点で、互いに種類の異なる音を発生して居住人Ｐにその旨を放置してもよい。  
これは、肌情報を検出する際にリモコン本体７を持って頬に当てがうために、その居住人は液晶表示部８を見ることができず、たとえここに、「肌情報測定開始」、「測定中」、「肌情報測定終了」などの表示をなしても確認することができない。すなわち、使用する居住人Ｐに対して、肌情報の測定の開始や、測定中、あるいは完了に対する何らかの報知は必要である。
【００３４】
図５ないし図８は本発明における第２の実施の形態を示していて、図５（Ａ）はリモコンＲａの正面図と上面図、図５（Ｂ）は図５（Ａ）とは異なる状態のリモコンＲａの正面図と上面図、図６（Ａ）（Ｂ）（Ｃ）は図５（Ａ）の一部を拡大した上面図と、断面図および側面図、図７は図５（Ｂ）の一部を拡大した断面図、図８は殺菌シート３０の交換状態を説明する図である。
【００３５】
図５（Ａ）（Ｂ）に示すように、第２の実施の形態としてのリモコンＲａは、リモコン本体２０の略中央部に液晶表示部８があり、この下部側である後端側にボタン群とスイッチ類を備えた操作部９が設けられることは変りがない。  
リモコン本体２０自体は、縦長状に形成され、かつ所定の肉厚を有していて、持ち易い（握り易い）ことも変りがないが、ここでは第１の実施の形態で説明したようなキャップ１２は存在していない。したがって、常に先端部端面は露出状態にあり、かつこの先端部端面は赤外線の透過素材で形成される。
【００３６】
リモコン本体２０の先端部内には、図における左側部に赤外線発光素子１３と赤外線受光素子１４が並設され、それぞれの発光面と受光面をリモコン本体２０の先端部端面に向けて揃えられる。そして、リモコン本体２０の先端部内で、図における右側部には肌センサＳと、この肌センサＳをリモコン本体２０先端部端面から突没自在に支持する支持機構Ｋを備えている。
【００３７】
つぎに、肌センサＳを支持する支持機構Ｋについて、図６（Ａ）（Ｂ）（Ｃ）から説明する。  
肌センサＳの基端部には、センサスライド台２１が一体に連結され、肌センサＳの先端に形成される検出面Ｚがリモコン本体２０の先端部端面に向けられて、リモコン本体２０内に収納される。上記センサスライド台２１は、リモコン本体２０の側面部に垂直方向に設けられる縦ガイド孔２２の一部から突出するスライド摘み部２１ａを備えている。
【００３８】
さらに、上記センサスライド台２１には、リモコン本体２０の縦ガイド孔２２下部裏面側に当接する下ガイド片２１ｂと、縦ガイド孔２２のスライド摘み部２１ａから露出する部分を閉成する上ガイド片２１ｃが一体に設けられる。  
センサスライド台２１の略中央部には垂直方向に補助ガイド孔２３が設けられ、この一部にリモコン本体２０に設けられる突起部２４が掛合している。リモコン本体２０内にはガイド片部２５が設けられ、この上端部にセンサスライド台２１側部から一体に突設されるストッパ片２１ｄが掛止している。また、リモコン本体２０内における肌センサＳの側方部位で、かつセンサスライド台２１のストッパ片２１ｄと対向する位置に、マイクロスイッチ１６が設けられる。
【００３９】
このセンサスライド台２１は、リモコン本体２０の側面部と上記ガイド片部２５との間に摺動自在に嵌め込まれる。同図の状態では、スライド摘み部２１ａが縦ガイド孔２２の下端部に当接しているとともに、ストッパ片２１ｄがガイド片２５の上端部に当接しているところから、センサスライド台２１は下方への移動が規制されている。  
肌センサＳの先端検出面Ｚと対向するリモコン本体２０の上端面にはセンサ突出用孔２６が開口するとともに、このセンサ突出用孔２６と同一幅で、かつリモコン本体２０の側部方向へ所定の長さ寸法に形成されたガイド段部２７が一体に連設される。センサ突出用孔２６の周縁部およびガイド段部２７の周縁部に亘ってガイド溝２８が設けられ、シャッタ２９がスライド自在に嵌め込まれる。
【００４０】
シャッタ２９はセンサ突出用孔２６の開口面全部を閉成するとともに、ガイド段部２７の一部を覆う。すなわち、シャッタ２９はリモコン本体２０の側面部からセンサ突出用孔２６を介してガイド段部２７の一部に亘って位置し、肌センサＳおよびリモコン本体２０内部を遮蔽している。  
上記シャッタ２９の裏面側には、両面接着テープなどの接着剤を介して殺菌シート３０が貼着される。この殺菌シート３０は、たとえばアルコール液等の消毒薬を含浸させたウエットシートからなり、図の状態で肌センサＳの先端検出面Ｚに接触して、先端検出面を殺菌消毒している。
【００４１】
なお、シャッタ２９をスライド自在に嵌め込んでいるガイド溝２８はリモコン本体２０の側部において開放加工されているので、シャッタ２９を右側方へスライド付勢することにより、シャッタを２９リモコン本体２０から突出させ、抜取ることが可能である。  
また、リモコン本体２０の内部には、先に図３で説明したような電気回路を備えていて、操作部９に対する運転条件の設定により赤外線発光素子１３から赤外線信号が空調機本体１へ送られて必要な運転制御が行われることは、先に第１の実施の形態で説明したのと何らの変りもない。
【００４２】
居住人Ｐが肌情報を得る場合は、図５（Ｂ）および図７に示すように操作する。すなわち、はじめにシャッタ２９をリモコン本体２０の図における左側方向へスライド付勢する。シャッタ２９がガイド段部２７上に重なって、ガイド段部２７の全てを覆うとともに、センサ突出用孔２６が完全開放される。  
つぎに、スライド摘み部２１ａを押上げて、縦ガイド孔２２の上端に当たるまで移動する。この操作によって、センサスライド台２１と一体の肌センサＳが移動し、肌センサの先端部がセンサ突出用孔２６を介してリモコン本体２０の先端部から突出する。同時に、センサスライド台２１に設けられるストッパ片部２１ｄがマイクロスイッチ１６に接触して、これをオン状態に変える。したがって、肌センサＳが測定可能な状態になると同時に、肌センサＳの測定モードが開始され、リモコン本体２０の液晶表示部８も測定モードに切換る。
【００４３】
居住人Ｐは、スライド摘み部２１ａに対する付勢力を保持し、センサスライド台２１と肌センサＳの位置を固定したまま、リモコン本体２０から突出する肌センサＳの先端検出面Ｚを頬に宛がう。リモコンＲａに備えられるマイコン１７は、先に第１の実施の形態で説明したのと同様のフローチャートにもとづいて必要な制御をなす。  
このような構成のリモコンＲａであれば、肌センサＳをスライドしてリモコン本体２０から突出させたのと同時に肌情報の測定モードに変わるから、リモコンＲａに対するボタン操作を簡略化できて、さらなる使い勝手の向上を図れるとともに、より容易に肌情報を空気調和機に反映させて、運転効率の向上化を図れる。
【００４４】
一連の肌情報を得たあとは、スライド摘み部２１ａを再び下方へ移動して肌センサＳをリモコン本体２０内に没入させる。センサスライド台２１のストッパ片２１ｄはマイクロスイッチ１６から離間して測定モードが終了する。  
ついで、シャッタ２９を図７のガイド段部２７上にある位置から、図６（Ｂ）のセンサ突出用孔２６を閉成する位置へスライド付勢する。このときは、肌センサＳの先端検出面Ｚがリモコン本体２０内部にあるから、シャッタ２９が肌センサＳに当接することはない。しかも、シャッタ２９の裏面側に取付けられる殺菌シート３０が肌センサＳの先端検出面Ｚに接触しつつ移動する。すなわち、シャッタ２９の開閉の都度、殺菌シート３０が肌センサＳの先端検出面Ｚを払拭し、ここに含浸させた消毒成分で殺菌する。
【００４５】
このようにして、肌センサＳの先端検出面Ｚは常時、清潔度が保持されて、衛生的であるから、例え異なる居住人Ｐが交互に使用するようなことがあっても、何ら支障がない。また、使用が頻繁になると、殺菌シート３０に含浸している消毒液が蒸発して、充分な殺菌効果が得られなくなる虞れがある。そこで、このような場合は、図８に示すように、シャッタ２９をリモコン本体２０から取外して、新たな殺菌シート３０と交換すればよく、使い勝手のよいことは言うまでもない。
【００４６】
なお、液晶表示部８における表示項目として、肌ケアと肌湿度を表示するようにしたが、表示項目としては、これらに限定されるものではない。たとえば、肌水分量から肌年齢を換算して、その肌年齢を表示するようにしてもよい。あるいは、温度センサを内蔵して肌温度を表示してもよく、肌温度とトレンドグラフを表示してもよい。  
また、図４で第１の実施の形態と第２の実施の形態に共通するフローチャートを説明したが、ステップＳ７でリモコンＲ（Ｒａも同じ）から肌情報を送られた空調機本体１では、以下に述べるような対応制御をなすとよい。
【００４７】
すなわち、空調機本体１にカレンダー機能付きの時計機能を搭載し、リモコンＲからの肌情報をもとに季節に応じた制御をなす。したがって、季節の変化と、現在の肌情報を把握し、各状況に適合する空調管理が自動的に行われて、肌にかかる負担が減り、年間を通して安定した肌状態を維持することができる。  
さらに具体的に述べれば、空気中に花粉や、チリ、ホコリが多く含まれ易い春や秋の季節では、肌ケアモード設定時に、空調機本体１に備えられる空気清浄機能を必ず連動させる。また、花粉症の症状緩和に効果があるとされる物質である、たとえばミントポリフェノール等を加湿用給水に混合して空気中に放出させる。
【００４８】
強い季節風が吹き易い春秋の季節では、空気が乾燥し、花粉等の異物の影響が目鼻喉ばかりでなく肌にも及ぼし易い。そこで、室内の空気清浄作用をなすとともに、鼻などの微粘膜の刺激を抑える物質を放出して、肌のバリア機能が低下することによって生じる、肌のトラブルを回避することができる。  
最も乾燥する冬季では、肌センサＳから測定した肌情報をもとに、肌水分量が不足していると判断したとき、肌ケアモードとして、空調機本体１に備えられる加湿機能を作用させる、もしくは別途備えられる加湿器と連動して、この加湿器を起動させるとよい。
【００４９】
すなわち、肌水分量が少ないときは、肌が乾燥しており、しわができ易く、肌にとって悪い状態と言える。そこで、肌センサで測定したデータをもとに室内を加湿することで肌の水分を補い、良好な肌状態へ戻すことができる。  
図９（Ａ）（Ｂ）および図１０は、以上説明した空調機本体１側の具体的な対応機能を説明する図である。  
図９（Ａ）に示すように、吸込み口２と吹出し口３を備えた空調機本体１は、表示・送受信部５にリモコンＲ（Ｒａは省略、以下同じ）からの送信信号を受けて、その信号を制御装置６へ送る機能を備えている。さらに、空調機本体１は、人感センサ４０および加湿装置５０を備えている。上記人感センサ４０は、リモコンＲから受信して制御装置６へ送られた肌情報に応じて、居住人Ｐの位置を感知する機能を備えている。そして、人感センサ４０の信号を受けた制御装置６では、加湿装置５０から吹出される加湿空気を居住人Ｐに向かって吹付ける、もしくは居住人Ｐを避けて吹付ける制御をなす。
【００５０】
上記加湿装置５０は、図９（Ｂ）に示すように構成される。加湿装置本体５１内には、上部に集合管５２が横方向に延出していて、この集合管５２には２本の給水管５３ａ，５３ｂが接続される。また、集合管５２には長手方向に所定間隔を存して複数の細径のガイド管５４が接続され、これらがイド管５４の下端部は開放されている。それぞれのガイド管５４の下端開口部には加湿エレメント５５が接続されていて、これら加湿エレメント５５は排水受け皿５６上に載設される。
【００５１】
また、加湿装置本体５１の一側部には吸込み口５７が設けられ、この吸込み口５７と対向する本体５１内部に送風機５８が配置される。送風機５８の送風方向は上記加湿エレメント５５へ向けられていて、さらに送風方向と対向する加湿装置本体５１の他側部に加湿空気吹出し口５９が開口している。この加湿空気吹出し口５９は空調機本体１の吹出し口３と隣接して設けられる。
【００５２】
上記排水受け皿５６には排水管６０が接続され、加湿装置本体５１外部に配置されるタンク６１に連通している。タンク６１から給水管６２が延出され、この給水管６２にはポンプ６３を介して三方切換え弁６４の一方のポートに接続される。上記三方切換え弁６４の他方のポートに接続される給水管５３ａは、中途部にミントポリフェノール成分を貯溜するカセット６５を介して上記加湿器本体５１内の集合管５２に接続される一方の給水管となる。三方切換え弁６４の残りのポートに接続される給水管５３ｂは、上記集合管５２に直接、接続される他方の給水管となる。
【００５３】
上記三方切換え弁６４にはカレンダー機能付き制御部６６が電気的に接続されていて、この制御部６６は先に説明した空調機本体１内に収容される制御装置６の一部を構成するものである。  
居住人ＰがリモコンＲに備えられる肌センサＳで測定した肌情報は空調機本体１へ送られ、この肌情報をもとに肌水分量が不足していると判断した場合には、肌ケアモードとして加湿装置５０を作動させる。特に、春先などで花粉が多い季節では三方切換え弁６４と集合管５２をミントポリフェノール成分を貯溜するカセット６５を介して連通させる。また、単純に乾燥している季節では、三方切換え弁６４と集合管５２とを直接、連通させる。
【００５４】
いずれにしても、集合管５２から複数のガイド管５４を介してそれぞれの加湿エレメント５５に水が供給され、加湿エレメントを濡らす。その一方で、送風機５８が駆動され、加湿エレメント５５に向かって送風される。加湿エレメント５５を濡らしていた水分は早急に蒸発し、送風に載って加湿空気吹出し口５９から吹出される。  
すなわち、高湿度空気が加湿空気吹出し口５９から室内へ吹出されることとなり、室内の乾燥度合いは早急に低下して、湿度が上昇する。人感センサ４０は居住人Ｐの位置を推測し、その推測位置へ高加湿空気が吹出されるよう制御する。あるいは、必要に応じて居住人Ｐを避けた位置へ吹出すよう制御をなすことも可能であり、この場合は、居住人Ｐにとって風を感じない空間を確実に作り出すことができる。
【００５５】
加湿エレメント５５で蒸発しなかった水は、そのまま流下して排水受け皿５６に集められ、ポンプ６３の駆動にともなって排水管６０を介してタンク６１に戻る。そして、タンク６１から三方切換え弁６４を介して、もしくは三方切換え弁６４とカセット６５を介して再び加湿装置本体５１内の加湿エレメント５５に給水される。このような加湿作用を継続することにより、当然、加湿装置を循環する水が蒸発して絶対量が不足してくる。このときは、タンク内へ水を補給すればよい。
【００５６】
また、カレンダー機能付きの制御部６６を搭載することで、季節の変化と現在の肌情報に適応する空調管理が可能となって年間を通して安定した肌状態を保持できる。そして、上記制御部６６に電波時計機能を備えて、電波にて日時を管理することで設定する手間を省き、常に正確な時間で制御ができるるとともに、日時がずれたことによって生じる肌ケアモード設定のずれを回避する。
【００５７】
図１０において、吸込み口２と吹出し口３を備えた空調機本体１は、表示・送受信部５にリモコンＲ（Ｒａは省略、以下同じ）からの送信信号を受けて、その信号を制御装置６へ送る機能を備えている。さらに、空調機本体１は、別途備えられる加湿器７０へ制御信号を送信する送信機能を備えている。上記加湿器７０自体は通常の市販品でよいが、ここでは加湿器電源７１を介してアダプタ７２が電気的に接続される。
【００５８】
すなわち、リモコンＲからの測定信号に反応して加湿器７０の電源をオン・オフするアダプタ７２を備えている。空調機本体１はリモコンＲから受信した肌情報をもとに、肌水分量が不足していると判断した場合は、アダプタ７２へ信号を送って加湿器７０の電源をオンさせる。効果的には全く同様であり、しかも専用の加湿器７０であるので充分な加湿量を提供することができるとともに、水の補給なども容易に行える。
【００５９】
また、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより、種々の発明を形成できる。
【図面の簡単な説明】
【００６０】
【図１】本発明における第１の実施の形態に係る、空調機用ワイヤレスリモコンの使用状態を説明する図。
【図２】同第１の実施の形態に係る、空調機用ワイヤレスリモコンの概略正面図と、実際の肌情報測定時における空調機用ワイヤレスリモコンＲの概略正面図。
【図３】同第１の実施の形態に係る、空調機用ワイヤレスリモコンの電気回路ブロック図。
【図４】同第１の実施の形態に係る、空調機用ワイヤレスリモコンＲの肌情報測定時のフローチャート図。
【図５】本発明における第２の実施の形態に係る、リモコンの正面図と上面図および異なる状態のリモコンの正面図と上面図。
【図６】同第２の実施の形態に係る、図５（Ａ）の一部を拡大した上面図と、断面図および側面図。
【図７】同第２の実施の形態に係る、図５（Ｂ）の一部を拡大した断面図。
【図８】同第２の実施の形態に係る、図５（Ｂ）の一部を拡大した断面図。
【図９】各実施の形態に係る、室内機の作用と加湿装置の構成を説明する図。
【図１０】各実施の形態に係る、室内機の作用と加湿器との組合せ構成を説明する図。
【符号の説明】
【００６１】
７，２０…リモコン本体、１３…赤外線発光素子、Ｓ…肌センサ、１２…キャップ、２９…シャッタ。
【図１】
2006138606.tif 000003
【図２】
2006138606.tif 000004
【図３】
2006138606.tif 000005
【図４】
2006138606.tif 000006
【図５】
2006138606.tif 000007
【図６】
2006138606.tif 000008
【図７】
2006138606.tif 000009
【図８】
2006138606.tif 000010
【図９】
2006138606.tif 000011
【図１０】
2006138606.tif 000012